(57)【要約】      （修正有）【課題】遊技者が視線集中部を見上げることなく楽な姿勢で遊技でき、長時間遊技しても遊技者の首や肩に負担が掛からないパチンコ遊技機設置島を提供する。【解決手段】複数のパチンコ遊技機１を並設状態に設置可能なパチンコ遊技機設置島であって、前記パチンコ遊技機１を支持する遊技機支持部２を具備し、この遊技機支持部２に設けた前記パチンコ遊技機１を載置若しくは固定する載置固定部３の高さ位置を、この載置固定部３上に載置若しくは固定した前記パチンコ遊技機１の下端部１Ａの高さ位置Ｈが床面４から４００ｍｍ〜５３０ｍｍとなるように設定したパチンコ遊技機設置島。【選択図】図１
0003195402.tif 000002
【実用新案登録請求の範囲】
【請求項１】
複数のパチンコ遊技機を並設状態に設置可能なパチンコ遊技機設置島であって、前記パチンコ遊技機を支持する遊技機支持部を具備し、この遊技機支持部に設けた前記パチンコ遊技機を載置若しくは固定する載置固定部の高さ位置を、この載置固定部上に載置若しくは固定した前記パチンコ遊技機の下端部の高さ位置が床面から４００ｍｍ〜５３０ｍｍとなるように設定したことを特徴とするパチンコ遊技機設置島。
【請求項２】
前記載置固定部の高さ位置をこの載置固定部上に載置若しくは固定した前記パチンコ遊技機の下端部の高さ位置が前記床面から４００ｍｍ〜５３０ｍｍとなるように設定して、併設される椅子に着席して前記パチンコ遊技機を遊技する遊技者の視線が常時集中する前記パチンコ遊技機の遊技領域内の略中央に位置する視線集中部の高さ位置が、前記椅子に着席した前記遊技者の目の高さと略同じ高さ若しくは目の高さよりも稍低い高さに位置するように構成したことを特徴とする請求項１記載のパチンコ遊技機設置島。
【請求項３】
並設する前記パチンコ遊技機毎に対応する独立した棚部を前記遊技機支持部に設け、この棚部は、使用時は前記遊技機支持部から前方に向かって突出状態になり、不使用時は前記遊技機支持部内に退避収納し得る若しくは前記遊技機支持部の前面部に沿設状態に退避収納し得る構成としたことを特徴とする請求項１，２のいずれか１項に記載のパチンコ遊技機設置島。
【請求項４】
前記棚部は、玉受箱を載置し得る載置部を有する構成としたことを特徴とする請求項３記載のパチンコ遊技機設置島。
【請求項５】
前記棚部は、上面に開口部を有する箱体に形成し、前記開口部を閉塞すると共に、前記玉受箱を載置する載置部となる蓋体を開閉自在に設けた構成とし、前記遊技機支持部の前記前面部に設けたパネル部に引き出し自在に設けたことを特徴とする請求項３，４のいずれか１項に記載のパチンコ遊技機設置島。
【考案の詳細な説明】
【技術分野】
【０００１】
本考案は、複数のパチンコ遊技機を並設状態に設置可能なパチンコ遊技機設置島に関するものである。
【背景技術】
【０００２】
従来のパチンコ遊技機設置島に設置されたパチンコ遊技機21は、床面24から高い位置に設置されており、図柄を表示する液晶画面や大当たり入賞部といった遊技者が遊技中に視線を集中させる視線集中部26が、併設された椅子25に着席した大半の遊技者の目の高さよりも高い位置に位置している。
【０００３】
そのため、多くの遊技者は、図３に示すように、遊技中はこれらを見上げる状態で遊技することになり、長時間このような状態で遊技することは、遊技者の首に負担を掛け、首痛や肩凝りなどを引き起こす要因となっていた。
【考案の概要】
【考案が解決しようとする課題】
【０００４】
本考案は、上述のような現状に鑑みなされたもので、設置されたパチンコ遊技機の高さ位置が従来よりも低く、パチンコ遊技機の図柄を表示する液晶画面や大当たり入賞部といった遊技者が遊技中に視線を集中させる視線集中部の位置が従来よりも低い位置になり、遊技者が視線集中部を見上げることなく楽な姿勢で遊技でき、遊技者の首や肩に負担が掛からず、長時間遊技を楽しむことができるパチンコ遊技機設置島を提供することを目的とする。
【課題を解決するための手段】
【０００５】
添付図面を参照して本考案の要旨を説明する。
【０００６】
複数のパチンコ遊技機１を並設状態に設置可能なパチンコ遊技機設置島であって、前記パチンコ遊技機１を支持する遊技機支持部２を具備し、この遊技機支持部２に設けた前記パチンコ遊技機１を載置若しくは固定する載置固定部３の高さ位置を、この載置固定部３上に載置若しくは固定した前記パチンコ遊技機１の下端部１Ａの高さ位置Ｈが床面４から４００ｍｍ〜５３０ｍｍとなるように設定したことを特徴とするパチンコ遊技機設置島に係るものである。
【０００７】
また、前記載置固定部３の高さ位置をこの載置固定部３上に載置若しくは固定した前記パチンコ遊技機１の下端部１Ａの高さ位置Ｈが前記床面４から４００ｍｍ〜５３０ｍｍとなるように設定して、併設される椅子５に着席して前記パチンコ遊技機１を遊技する遊技者の視線が常時集中する前記パチンコ遊技機１の遊技領域内の略中央に位置する視線集中部６の高さ位置が、前記椅子５に着席した前記遊技者の目の高さと略同じ高さ若しくは目の高さよりも稍低い高さに位置するように構成したことを特徴とする請求項１記載のパチンコ遊技機設置島に係るものである。
【０００８】
また、並設する前記パチンコ遊技機１毎に対応する独立した棚部７を前記遊技機支持部２に設け、この棚部７は、使用時は前記遊技機支持部２から前方に向かって突出状態になり、不使用時は前記遊技機支持部２内に退避収納し得る若しくは前記遊技機支持部２の前面部に沿設状態に退避収納し得る構成としたことを特徴とする請求項１，２のいずれか１項に記載のパチンコ遊技機設置島に係るものである。
【０００９】
また、前記棚部７は、玉受箱８を載置し得る載置部を有する構成としたことを特徴とする請求項３記載のパチンコ遊技機設置島に係るものである。
【００１０】
また、前記棚部７は、上面に開口部を有する箱体に形成し、前記開口部を閉塞すると共に、前記玉受箱８を載置する載置部となる蓋体９を開閉自在に設けた構成とし、前記遊技機支持部２の前記前面部に設けたパネル部10に引き出し自在に設けたことを特徴とする請求項３，４のいずれか１項に記載のパチンコ遊技機設置島に係るものである。
【考案の効果】
【００１１】
本考案は上述のように構成したから、例えば遊技者が遊技中に視線を集中させるパチンコ遊技機の図柄を表示する液晶画面や大当たり入賞部といった視線集中部を、椅子に着席した遊技者が見上げることなく目視することができ、これにより、遊技者は、首に負担が掛からない楽な状態（姿勢）で遊技をすることができ、首痛や肩凝りを生じることなく長時間快適に遊技をし続けることができる画期的なパチンコ遊技機設置島となる。
【図面の簡単な説明】
【００１２】
【図１】本実施例を用いて構成したパチンコ遊技機島を示す説明側面図である。
【図２】本実施例を用いて構成したパチンコ遊技機島を示す説明斜視図である。
【図３】従来例を示す説明図である。
【考案を実施するための形態】
【００１３】
好適と考える本考案の実施形態を、図面に基づいて本考案の作用を示して簡単に説明する。
【００１４】
本考案のパチンコ遊技機設置島にパチンコ遊技機１を設置すると、パチンコ遊技機１は、このパチンコ遊技機１の下端部１Ａの高さ位置Ｈが床面４（例えばパチンコ遊技機１を支持する遊技機支持部２や併設する椅子５を設置した床面４）から４００ｍｍ〜５３０ｍｍとなる。
【００１５】
これにより、遊技者が併設された椅子５に着席して設置されたパチンコ遊技機１を遊技した場合、パチンコ遊技機１の図柄を表示する液晶画面や大当たり入賞部といった遊技者が遊技中に視線を集中させるパチンコ遊技機１の遊技領域内の略中央に位置する視線集中部６は、この椅子５に着席した遊技者の目の高さと略同じ高さ若しくは目の高さよりも稍低い高さに位置することとなる。
【００１６】
即ち、従来のパチンコ遊技機設置島に設置したパチンコ遊技機21の下端部21Ａの高さ位置ｈは、床面24から６００ｍｍ〜６５０ｍｍとなるのに対して、本考案のパチンコ遊技機設置島に設置されるパチンコ遊技機１は、パチンコ遊技機１の下端部１Ａの高さ位置Ｈが床面４から４００ｍｍ〜５３０ｍｍとなり、従来のパチンコ遊技機設置島に設置されたパチンコ遊技機21に比べて１００ｍｍ程度低い位置に設置され、このパチンコ遊技機１の設置高が従来よりも１００ｍｍ程度低くなることで、視線集中部６の高さ位置も１００ｍｍ程度下がる。
【００１７】
これにより、従来、視線集中部26は、椅子25に着席した遊技者の目の高さよりも高い位置にあったものが、本考案では、椅子５に着席した遊技者の目の高さと略同じ高さ若しくは目の高さよりも稍低い高さのところに視線集中部６が位置することとなる。
【００１８】
従って、従来は、遊技者は遊技中、視線集中部26を見るには少し顔を上に向けて見上げる状態になる必要があり、この視線集中部26を見上げる状態で遊技することは、遊技者の首に負担を掛け、首痛や肩凝りなどを引き起こす要因となっていたが、本考案は、視線集中部６を、椅子５に着席した遊技者が見上げることなく目視することができ、これにより、遊技者は、首に負担が掛からない楽な状態（姿勢）で遊技をすることができ、首痛や肩凝りを生じることなく長時間快適に遊技をし続けることができる画期的なパチンコ遊技機設置島となる。
【実施例】
【００１９】
本考案の具体的な実施例について図面に基づいて説明する。
【００２０】
本実施例は、複数のパチンコ遊技機１を並設状態に設置可能なパチンコ遊技機設置島であって、前記パチンコ遊技機１を支持する遊技機支持部２を具備し、この遊技機支持部２に設けた前記パチンコ遊技機１を載置若しくは固定する載置固定部３の高さ位置を、この載置固定部３上に載置若しくは固定した前記パチンコ遊技機１の下端部１Ａの高さ位置Ｈが床面４から４００ｍｍ〜５３０ｍｍとなるように設定したものである。
【００２１】
具体的には、図１，２に示すように、遊技機支持部２は、上部に複数のパチンコ遊技機１を並設状態に載置可能な長さを有し、内部に空間部を有する横長箱状体に形成した構成とし、具体的には、本実施例では、横長方形状の枠体11にパネル部10（所謂化粧パネル）を設けて形成した構成としている。
【００２２】
より具体的には、本実施例の遊技機支持部２は、上面部にパチンコ遊技機１を載置する載置固定部３を設けた構成としている。
【００２３】
この載置固定部３は、遊技機支持部２に設けた際、前端部が遊技機支持部２の前面部（パネル部10）と面一状態となるような形状に形成した構成としている。即ち、従来のパチンコ遊技機設置島の載置固定部23は、図３に示すように、玉受箱28を載置する膳板23Ａ（載置板）が一体で設けられていて、この膳板23Ａが遊技者側に突出する構成となっているが、本実施例は、この遊技者側に突出する膳板が無い構成としている。
【００２４】
また、本実施例の遊技機支持部２は、この載置固定部３を含めた高さを４００ｍｍ〜５３０ｍｍ、具体的には、４８０ｍｍ〜５００ｍｍに設定している。
【００２５】
即ち、この載置固定部３を含む遊技機支持部２の高さを４８０ｍｍ〜５００ｍｍに設定することで、載置固定部３に載置したパチンコ遊技機１の下端部１Ａの高さ位置Ｈが床面４から４８０ｍｍ〜５００ｍｍとなるようにしている。
【００２６】
また、本実施例の遊技機支持部２は、上述したように、従来のパチンコ遊技機設置島に設けられている膳板23Ａを設けない構成としているが、代わりに、この遊技機支持部２に並設するパチンコ遊技機１毎に対応する独立した棚部７を設けた構成としている。
【００２７】
具体的には、棚部７は、膳板23Ａのようにパチンコ遊技機設置島に並設されたパチンコ遊技機１を跨るような長い板状体のものではなく、各々のパチンコ遊技機１に対応する幅２０ｃｍ〜３０ｃｍ程度の短尺な長さに設定したもので、玉受箱８を一箱載置し得る程度の載置部を有する構成としている。
【００２８】
より具体的には、本実施例の棚部７は、使用時は遊技機支持部２から前方に向かって突出状態になり、不使用時は遊技機支持部２内に退避収納し得る若しくは遊技機支持部２の前面部に沿設状態に退避収納し得る構成としている。
【００２９】
更に詳細に説明すると、本実施例の棚部７は、上面に開口部を有する箱体に形成し、この開口部を閉塞すると共に、玉受箱８を載置する載置部となる蓋体９を開閉自在に設けた構成とし、遊技機支持部２の遊技者と対向位置に設けたパネル部10に引き出し自在に設けた構成としている。
【００３０】
即ち、本実施例の棚部７は、必要な時だけ遊技機支持部２（パネル部10）から引き出して、水平状態に突出する蓋体９を玉受箱８の載置部として使用する構成とし、また、引き出した際も、玉受箱８と同程度の幅なので、遊技者が脚を広げてこの広げた脚の間に棚部７を配することで、棚部７が邪魔になるような不具合が生ずることなく遊技を行うことができるように構成している。
【００３１】
また更に、本実施例の棚部７は、玉受箱８の載置部である蓋体９を開蓋することで内部にタバコなどの遊技者の所持品を収納することができるように構成している。尚、蓋体９にロック機構を設けて、貴重品入れに構成しても良い。
【００３２】
上述のように構成した本実施例の作用・効果について以下に説明する。
【００３３】
本実施例のパチンコ遊技機設置島に設置したパチンコ遊技機１は、このパチンコ遊技機１の下端部１Ａの高さ位置Ｈが床面４から４８０ｍｍ〜５００ｍｍとなり、従来よりも１００ｍｍ程度低い位置に設置される。
【００３４】
これにより、遊技者が併設された椅子５に着席して設置されたパチンコ遊技機１を遊技した場合、パチンコ遊技機１の図柄を表示する液晶画面や大当たり入賞部といった遊技者が遊技中に視線を集中させるパチンコ遊技機１の遊技領域内の略中央に位置する視線集中部６は、この椅子５に着席した遊技者の目の高さと略同じ高さ若しくは目の高さよりも稍低い高さに位置することとなり、遊技者は、椅子５に着席した姿勢で視線集中部６を見上げることなく目視することができ、これにより、遊技者は、首に負担が掛からない楽な状態（姿勢）で遊技をすることができ、首痛や肩凝りを生じることなく長時間快適に遊技をし続けることができることとなる。
【００３５】
しかも、上記のようにパチンコ遊技機１の設置高を低くすると、従来の構成では膳板が脚と干渉する位置まで下降し邪魔になってしまうが、本実施例は、この膳板を設けない構成としたので、脚が膳板に干渉する不具合は生じない。
【００３６】
そして、この膳板の代わりに遊技機支持部２内に退避収納する棚部７を設けたので、膳板が無くても必要なときにだけこの棚部７を引き出して載置部となる蓋体９上に玉受箱８を載置することができ、しかも、この棚部７内にタバコなどの所持品を収納することもできるので、所持品の置き場所にも困らない。
【００３７】
更に、本実施例は、玉受箱８を使用しない際は、棚部７を遊技機支持部２内に退避収納させることで、前面部に突出物がなくなり足元が広くなる（すっきりする）ので、遊技者は脚を組んで遊技することもでき、より一層楽な姿勢で遊技を楽しむことができる。
【００３８】
このように、本実施例は、遊技者が快適にパチンコ遊技を行うことができる従来にない画期的なパチンコ遊技機設置島となる。
【００３９】
尚、本考案は、本実施例に限られるものではなく、各構成要件の具体的構成は適宜設計し得るものである。
【符号の説明】
【００４０】
１  パチンコ遊技機
１Ａ  下端部
２  遊技機支持部
３  載置固定部
４  床面
５  椅子
６  視線集中部
７  棚部
８  玉受箱
９  蓋体
10  パネル部
Ｈ  高さ位置
【図１】
0003195402.tif 000003
【図２】
0003195402.tif 000004
【図３】
0003195402.tif 000005